(57)【特許請求の範囲】
【請求項１】
回転ベゼル（１）を有し、回転ベゼル（１）が腕時計ケースの平面に対して、概ね垂直方向に移動可能な構造を有する腕時計ケースにおいて、垂直方向の移動範囲の複数の停止点のうち下位停止点で回転ベゼル（１）に設けた歯車状凹凸部（１３）の凹部と係合する回転規制部材（４１）を有する回転規制リング（４）を回転ベゼル（１）とケース胴（２）の間に配置したことを特徴とする回転ベゼル付き腕時計ケース。
【請求項２】
請求項１において、回転ベゼル（１）の歯車状凹凸部（１３）は、前記垂直方向の断面形状に対して形成されている回転ベゼル付き腕時計ケース。
【請求項３】
請求項１において、回転規制リング（４）は回転ベゼル（１）が回転する時に、回転ベゼル（１）に断面方向に対して成形した歯車状凹凸部（１３）に干渉し、歯車状凹凸部（１３）に生じる回転力で、上下方向に移動するクリック弾性突起（４５）を有し、歯車状凹凸部（１３）に間欠的に干渉することによってクリック感を生み出す回転規制リングを有する回転ベゼル付き腕時計ケース。
【請求項４】
回転ベゼル（１）を有し、回転ベゼル（１）が腕時計ケースの平面に対して、概ね垂直方向に移動可能な構造を有する腕時計ケースにおいて、
回転ベゼル（１０１）の前記平面方向外側に設けられた歯車凹部と歯車凸部と、
回転ベゼル（１０１）の下方に設けられ、回転ベゼル（１０１）が垂直方向の移動範囲の複数の停止点のうち下位停止点の位置でクリック弾性突起（１４４）と前記歯車凹部と前記歯車凸部とのかみ合いがはずれ、回転ベゼル（１０１）が上位停止点の位置でクリック弾性突起（１４４）と前記歯車凹部と前記歯車凸部がかみ合う回転クリックリング（１０４）と、
回転クリックリング（１０４）の下方に配置したケース胴（１０２）と、
を有する回転ベゼル付き腕時計ケース。
【請求項５】
前記回転ベゼル（１０１）は、一定の方向しか回転しない請求項４記載の回転ベゼル付き腕時計ケース。
【請求項６】
外形よりも内側の底面に歯車状凹凸部（１３）を有する回転ベゼル（１）と、
回転ベゼルの下方に位置し、回転ベゼル（１）の下位停止点で歯車状凹凸部（１３）と係合する回転規制部（４１）と、回転ベゼル（１）の上位停止点で歯車状凹凸部（１３）と係合し回転規制部（４１）の頂点よりも高い頂点を有し、下位停止点でクリック弾性部収納部（４６）に収納されるクリック弾性突起（４５）とを有する回転規制リング（４）と、
回転規制リング（４）の下方に位置し、回転規制リング（４）受けるケース胴（２）と、
を有する回転ベゼル付き腕時計ケース。
【発明の詳細な説明】
技術分野
本発明は、腕時計ケースに関するものである。
背景技術
従来の回転ベゼルの主要構造部分断面図を第１６図を示す。従来の回転ベゼルを装着した腕時計ケースは、回転ベゼルを回転させることは可能であった。しかし、回転ベゼルを垂直方向に移動させることはできなかった。このため、従来の回転ベゼルを装着した腕時計ケースは、下記のような問題点がある。
（１）：回転ベゼルを回転させる機能は有するものの、回転ベゼルの停止状態での安定性を確保するために、ベゼル回転トルクは重くなくてはならなかった。
（２）：（１）により回転ベゼルの表面には大きな凹凸形状を構成せざるを得なかった。
本発明では、前記問題点を解消し、回転ベゼルの停止状態での安定性は確保しつつ、重い回転トルクや回転ベゼル表面の凹凸形状が必要のない、回しやすい回転ベゼルを装着した腕時計ケースの提供を課題とする。
また、第１７図に、従来の回転ベゼルの主要構造部分断面図を示す。従来の回転ベゼルを装着した腕時計ケースは、主に潜水用として用いられることが多いのだが、逆回転防止構造を採用しているものの、水中での作業中に障害物等にぶつかるなど強い外力が加わった際、回転ベゼルが誤操作される場合がある。潜水時間を表示するための回転ベゼルが誤操作してしまうと、潜水時間が不明確となる。本発明では、前記問題点を解消し、回転ベゼルに対し、回転ロック機構を設けることにより、従来の回転ベゼル構造で懸念されていた、回転ベゼルの誤操作を確実に防止することのできる、回転ベゼルを装着した腕時計ケースの提供を課題とする。
発明の開示
回転ベゼルが、腕時計ケースの平面に対して概ね垂直方向に移動可能な機能を有する構造とし、垂直方向の稼動範囲に複数の停止点、つまり回転の停止安定性確保のための停止点と、回転ベゼルを回転させるための停止点に分割する。これによって回転ベゼルが回転可能な状態である場合は、回転トルクを極小化させることが可能となる。
本発明によれば、回転の停止安定性確保のための停止点では回転ベゼルに施した歯車状の凹凸が、回転規制リングの凹凸状歯車の回転規制部に係合して、確実に回転を規制し、回転させるための停止点では、回転規制リングの回転規制部から係合が解除され、回転トルクは極小化される。
また、回転ベゼルが、腕時計ケースの平面に対して概ね垂直方向に移動可能な機能を有する構造とし、垂直方向の稼動範囲に複数の停止点、つまり回転ベゼルの回転をロックするための停止点と、回転ベゼルを回転させるための停止点に分割する。
本発明によれば、回転ベゼルの回転をロックするための停止点では、回転ベゼルの断面方向に施した歯車状の凹凸が、回転止めピンの回転止めピン頭に係合して、確実に回転ベゼルの回転を規制し、回転させるための停止点では、上記係合が解除され、回転ベゼルは回転させることができる。
本発明は、外形よりも内側の底面に歯車状凹凸部を有する回転ベゼルと、回転ベゼルの下方に位置し、回転ベゼルの下位停止点で歯車状凹凸部と係合する回転規制部と、回転ベゼルの上位停止点で歯車状凹凸部と係合し回転規制部の頂点よりも高い頂点を有し、下位停止点でクリック弾性部収納部に収納されるクリック弾性突起とを有する回転規制リングと、回転規制リングの下方に位置し、回転規制リング受けるケース胴（２）と、を有する回転ベゼル付き腕時計ケースである。
発明を実施するための最良の形態
＜実施の形態１＞
本発明の実施の形態について、添付の図面を参照して以下に説明する。
本発明は、第１図に示すように、度当たり段差１１、位置決め弾性体１０５を保持した位置決め溝１２、歯車状凹凸部１３を有する回転ベゼル１と、ベゼル度当たり面２６、位置決め突起２５を有するケース胴２と、回転止め穴２３に係合する回転止め部４３、歯車状凹凸部１３に対応する回転規制部４１を有しケース胴２に固定された回転規制リング４、によって構成される。
第１図は、回転ベゼル底面１４がケース胴２の回転ベゼル受け面２１に接した状態を示しており、この状態を下位停止点とする。回転ベゼル１の位置決め溝１２によって保持された位置決め弾性体１０５と、ケース胴２の位置決め突起２５によって、回転ベゼル１は下位停止点に停止することができる。
回転規制リング４の有する回転止め部４３が、ケース胴２にあけられた単数もしくは複数の回転止め穴２３と係合することによって、回転規制リング４は回転しない。この時、回転ベゼル１の歯車状凹凸部１３とケース胴２に固定された回転規制リング４の回転規制部４１とが係合することによって、回転ベゼル１は停止安定性が確保され、回転しない。
ケース胴２に固定された回転規制リング４の回転規制部４１は、単数もしくは複数個所とする。
ケース胴２の固定溝２４にはめ込まれたガタ止め弾性体６と回転ベゼル１の弾性体接触面１５が接触することによって、回転ベゼル１の停止安定性はさらに確保される。ガラス３は、ケース胴に設けた段差部に接着や溶着などで固定される。また、回転ベゼル１は、その外周下面に指掛け斜面１６を設け、指掛け斜面１６に指をかけて操作する。そのため、指掛け斜面１６は指でまわしやすいような角度であることが望ましい。
ケース胴２には、ケース胴２の回転ベゼル受け面２１に対して垂直方向の面に、外周方向に円周溝上面壁２２を設ける。回転規制リング４の上面にある抜け防止突起４２が円周溝上面壁２２に取り付ける。
第２図は、指掛け斜面１６に指を掛け、回転ベゼル１を垂直方向に引き動かすことにより、回転ベゼル１の位置決め溝１２によって保持された位置決め弾性体１０５がたわみ、ケース胴２の位置決め突起２５を乗り越えた状態を示している。
この時、回転ベゼル１の位置決め溝１２によって保持された位置決め弾性体１０５が、ケース胴２の位置決め突起上斜面２７と干渉することによって、回転ベゼル１は上位停止点に停止することができ、上位停止点において回転ベゼル１を安定して回転させることができる。
この状態では、回転ベゼル１の歯車状凹凸部１３と、ケース胴２に固定された回転規制リング４の回転規制部４１との係合が完全に解除され、回転ベゼル１は自由に回転することができる。
回転ベゼル１を上位停止点に移動させる際、ケース胴２に固定された回転規制リング４が、回転ベゼル１とともに上位停止点に移動しないように、回転規制リング４は抜け防止突起４２を有している。回転規制リング４の抜け防止突起４２と、ケース胴２の円周溝上面壁２２が干渉することによって、回転規制リング４は上位停止点に移動しない。
上位停止点において、回転ベゼルは回転可能な状態となる。下位停止点ではクリック弾性部収納部４６に回転ベゼル底面１４によって押され収納されていたクリック弾性部４４が、回転ベゼル１が上位停止点の状態では、自らの弾性力により立ち上がり、回転ベゼル１の歯車状凹凸部１３と適度に干渉する。
この時、回転ベゼル１を回転させると、回転規制リング４のクリック弾性部４４に設けられたクリック弾性突起４５が回転力によって上下方向に移動し、回転ベゼル１の断面方向に対して成形した歯車状凹凸部１３に間欠的に干渉することによって、回転ベゼル１にクリック感を与える。
回転規制リング４のクリック弾性部４４、及びクリック弾性突起４５は、単数もしくは複数個所とする。
回転ベゼル１を上位方向に移動させた際、回転ベゼル１が、ケース胴２から外れてしまわないように、回転ベゼル１は度当たり段差１１を、またケース胴２にはベゼル度当たり部２６を有している。
第３図は、回転ベゼル２が下位停止点にある状態を示す。回転ベゼル１、回転規制リング４とケース胴２の関係を示すため、Ａ−Ａ’で切断位置を示している。
第４図は、第３図で切断した部分をＡ−Ａ’から見た状態を示す。回転ベゼル１の下面には、歯車凹部１７と歯車凸部１８を交互に円周方向に設ける。回転ベゼル１の下に回転規制リング４を配置する。回転規制リング４は、三角に折り曲げてある部分を数個有しており、その部分の配置の間隔は、歯車凹部１７と対応している。そして、その三角に折り曲げてある部分の上部が、歯車凹部１７に嵌るようにする。また、回転規制リング４は、回転したときにクリック感を出すため、上側に少し湾曲したクリック弾性部４４を設けてある。さらに、回転規制リング４は、その一部を下側に折り曲げた回転止め部４３を設けてある。この回転止め部４３は、回転ベゼル１を回転しても回転規制リング４が回転しないようにするためのものである。回転止め部４３は、ケース胴２に設けた回転止め穴２３に挿入される。回転規制リング４の下にケース胴２を配置する。
第５図は、回転ベゼル１が上位停止点にある状態を示す。回転ベゼル１、回転規制リング４とケース胴２の関係を示すため、Ｂ−Ｂ’で切断位置を示している。第６図は、第５図で切断した部分をＢ−Ｂ’から見た状態を示す。回転ベゼル１が上位停止点にあると、歯車凹部１７と歯車凸部１８は、回転規制リング４の三角に折り曲げてある部分の頂点よりも高い位置に位置する。そのため、回転規制リング４の三角に折り曲げてある部分が、歯車凹部１７および歯車凸部１８とはかみ合わない。歯車凹部１７とは、回転規制リング４に設けたクリック弾性突起がかみあう。クリック弾性突起４５は、クリック弾性部４４と先端を下方に曲げた部分とからなる。回転ベゼル１を回転させると、クリック弾性部４４がケース胴２側に変形し、クリック感を発生させる。このクリック弾性部４４は、回転ベゼル１が下位停止点にある場合には、クリック弾性部収納部４６に収納される。
第７図は、本発明のリング弾性体部品の平面図である。第８図は、第７図に示す本発明の回転規制リング４のＣ−Ｃ’矢視方向からみた側面図である。回転規制リング４はドーナツ形状をしている。回転規制リング４の抜けを防止するため、回転規制リング４の外周に２ヶ所、抜け防止突起４２を設ける。抜け防止突起４２の位置は、２箇所の場合には対角方向が好ましい。抜け防止突起４２を３箇所以上設けてもよい。その場合は、きるだけ均等な角度に設けるほうがよい。
クリック弾性部４４は、抜け防止突起４２の内側に設ける。クリック弾性部４４は上方向に曲げられており、その先端部は下方に折り曲げてある。その折り曲げた部分が、クリック突起４５となる。回転規制リング４に負荷を加えない状態では、クリック突起４５の頂点の位置は後述する三角形の断面よりも高い。クリック突起４５とクリック弾性部４４に上方向から力が加わったときに、これらが回転規制リング４に収納できるように、回転規制リング４上のクリック弾性部４４及びクリック弾性突起４５の周辺部を抜いてある。この部分がクリック弾性部収納部４６となる。
また、回転規制リング４に、回転規制部４１を設ける。回転規制部４１は、円周に沿って２個を１組として２組設ける。回転規制部４１は、できるだけ対角位置に来るのが望ましい。３組以上設けてもよいし、３個以上を１組にしてもよい。この個数と組数がクリック感を出す１つの要因となる。回転規制部４１は、上面方向に頂点が来るように、三角形の断面とする。回転規制部４１の内径側と外径側に円周に沿って抜いておくと、回転規制部４１の加工が容易の行えるとともに、クリック感の感触を決める要因の１つとなる。
更に、回転規制リング４の回転を防止するため、回転止め部４３を回転規制リング４に設ける。回転止め部４３は、円周に沿って対角方向に２ヶ所設ける。回転止め部４３を３箇所以上設けてもよい。その場合、設ける位置はなくべく均等とするのが好ましい。回転止め部４３は、回転規制リング４の下面よりも下方に、その先端を折り曲げる。
この発明では、上述のように、回転ベゼル１を下位停止点に位置させた時は、歯車状凹凸部１３が回転規制リング４の回転規制部４１と係合して回転ベゼル１は回転できない。一方、回転ベゼル１を上位停止点に位置させた時は、歯車状凹凸部１３と回転規制リング４の回転規制部４１との噛み合いが解除され、回転ベゼル１は自由に回転できる。これにより、停止部位によって回転ベゼル１の回転機能が異なる腕時計ケースを実現することができる。
この結果、垂直方向に部位変化のない従来の回転ベゼル構造において、停止安定性と回転作動性を共有させた結果、回転ベゼルの回転トルクは重くする必要があり、回転ベゼルを指で回転作動させる際に十分な回転トルクが得られるように、回転ベゼルの表面や外周部に、凹凸形状を施すことが必然となっていた現状に対し、回転ベゼルの表面や外周部に凹凸形状を施さずとも停止安定性と回転作動性の保証された回転ベゼル付きの腕時計ケースが実現でき、また回転トルクを極小化できるため、スムーズに回転することができる。また凹凸形状が必要であった回転ベゼルのデザイン制約を解消し、デザイン自由度を拡大できた効果は大きい。
第５図に示すように、回転ベゼル１を上位停止点に位置させた状態で歯車形状凹凸部１３と、クリック弾性部４４に設けられたクリック弾性突起４５とによって軽微な干渉を生じさせ、回転ベゼル１の自由回転にクリック感をもたせることが可能である。
＜実施の形態２＞
本発明の実施の形態について、添付の図面を参照して以下に説明する。
第９図は、回転ベゼルが下位停止点にある場合の主要構造部分の断面図を示す。本発明は、第９図に示すように、度当たり段差１１１、位置決め弾性体１０５を保持した位置決め溝１１２、歯車状凹凸部１１３を有する回転ベゼル１０１と、位置決め突起１２４を有するケース胴１０２と、回転止め穴１２２に係合し、回転規制溝１１９に対応する回転規制ピン頭１７１を有する回転規制ピン１０７と、回転規制ピン１０７によってケース胴１０２に固定された回転クリックリング１０４、によって構成される。
ケース胴１０２の内側の面に段差部を設け、その段差部にガラス１０３を溶着や接着などにより固定する。ケース胴１０２の上部に、内側にへこんだ部分を設ける。そのへこんだ部分の上側に設けられた位置決め突起１２６は、回転ベゼル１０１を上方に持ち上げたときに、回転ベゼル１０１の度当たり段差１１１と干渉して、回転ベゼル１０１の上方向の位置を規制する。一方、そのへこんだ部分の下側に設けられた位置決め突起斜面部１２４は、その上面及び下面とも斜面を有している。位置決め突起斜面部１２４の上面は、外周に向かって下がる斜面とし、下面は外周に向かって上がる斜面とする。ケース胴１０２には、この位置決め突起斜面部１２４の下方に、内側に向かって固定溝１２３を設ける。この固定溝１２３に、ガタ止め弾性体１０６を取り付ける。ガタ止め弾性体１０６は、回転ベゼル１０１を回転させた場合や回転ベゼル１０１を上下方向に移動させて場合に、回転ベゼル１０１のガタを吸収する。更にケース胴１０２は、ガタ止め弾性体１０６の下方に下側に向かって溝を設ける。この溝の下面である回転クリックリング受け面２１に、回転クリックリング１０４をのせる。回転クリックリング１０４は、ねじ部を有する回転止めピン１０７を、ケース胴１０２の下方にねじ込むことで固定される。
回転ベゼル１０１は、回転クリックリング１０４の上部で、ケース胴１０２の上部を覆うように配置する。回転ベゼル１０１の内側の面から外側に向かって位置決め溝１１２を設ける。この位置決め溝１１２に、位置決め弾性体１０５が挿入される。この位置決め弾性体１０５は、回転ベゼル１０１が下位停止点にある状態で、位置決め突起斜面部１２４の下面よりも下方に位置する。回転ベゼル１０１の下面には、回転止めピン７の回転止めピン頭７１と接触しないような回転規制溝１１９を設ける。回転規制溝１１９の外側で、回転クリックリング１０４の垂直方向に曲げた部分よりも内側に、歯車状凹凸部１１３を設ける。そして、回転ベゼル１０１の外側でケース胴の上部に、回転ベゼル１０１を回転しやすくするために、外周から内側に向かって指掛け斜面１１６を設ける。
第９図は、回転ベゼル底面１１４が、ケース胴１０２に回転規制ピン１０７によって固定された回転クリックリング１０４の回転ベゼル受け面１４２と接した状態を示しており、この状態を下位停止点とする。回転ベゼル１０１の位置決め溝１１２によって保持された位置決め弾性体１０５と、ケース胴１０２の位置決め突起１２４によって、回転ベゼル１０１を下位停止点に停止することができる。
回転クリックリング１０４の固定穴１４１に回転規制ピン１０７を貫通し、回転規制ピン１０７がケース胴１０２の固定穴１２２に固定されることによって、回転クリックリング１０４は回転せず、また平面に対して垂直方向に移動することはない。ケース胴１０２と回転規制ピン１０７の固定方法は、ねじ固定とするが、回転規制ピン１０７のピン径とケース胴１０２の固定穴１２２とにしめしろを持たせた打ち込み式、もしくはケース胴の固定穴１２２と回転規制ピン１０７を接着しても可である。
その時、回転ベゼル１０１の回転規制溝１１９と、ケース胴１０２に固定された回転規制ピン１０７の回転規制ピン頭１７１とが噛み合うことによって、回転ベゼル１０１は回転させることができず、停止安定性も確保される。
ケース胴１０２の固定溝１２２にはめ込まれたガタ止め弾性体１０６と回転ベゼル１０１の弾性体接触面１１５が接触することによって、回転ベゼル１０１の停止安定性はさらに確保される。
第１０図は、回転ベゼル１０１が上位停止点にある状態の断面図を示す。指掛け斜面１１６に指を掛け、回転ベゼル１０１を平面に対して垂直方向に引き動がすと、回転ベゼル１０１の位置決め溝１１２によって保持された位置決め弾性体１０５がたわみ、ケース胴１０２の位置決め突起１２４を乗り越える。この状態が、回転ベゼル１０１の上位停止点である。
この時、回転ベゼル１０１の位置決め溝１１２によって保持された位置決め弾性体１０５が、ケース胴１０２の位置決め突起１２４と干渉することによって、回転ベゼル１０１は上位停止点に停止することができる。更に回転ベゼルを上方に引き上げようとしても、位置決め突起１２６と度当たり段差１１１が干渉して、それより上方には移動しない。これにより、上位停止点において回転ベゼル１０１を安定して回転させることができる。
この状態では、回転ベゼル１０１の歯車状凹凸部１１３と、ケース胴１０２に固定された回転規制ピン１０７の回転規制ピン頭１７１との係合が完全に解除され、回転ベゼル１０１は回転することができる。
上位停止点において、回転ベゼル１０１の歯車状凹凸部１１３と、ケース胴１０２に固定された回転クリックリング１０４のクリック弾性部１４３に設けられたクリック弾性突起１４４が噛み合う。
回転ベゼル１０１を回転させると、回転クリックリング１０４のクリック弾性部１４３に設けられたクリック弾性突起１４４が、回転力によって放射方向に移動し、回転ベゼル１０１の歯車状凹凸部１１３に間欠的に干渉することによって、回転ベゼル１０１にクリック感を与える。
第１１図は、回転ベゼル１０１が下位停止点の状態の図面である。第１２図は、第１１図のＡ−Ａ’方向から見た部分断面図である。回転ベゼル１０１の下面には、円周の沿って複数の回転規制溝１１９を一定の間隔で設ける。回転ベゼル１０１の下方には、回転クリックリング１０４が回転止めピン１０７でケース胴１０２に固定されている。回転止めピン１０７は、ケース胴１０２の下方に延びた回転止め穴１２２に、ねじ込む。このとき、回転止めピン１０７の回転止めピン頭１７１は、回転規制溝１１９に中に収まる。したがって、回転ベゼル１０１を回転しようとしても、回転止めピン１０７の回転止めピン頭１７１が回転ベゼル１０１の回転規制溝１１９と干渉することで、回転を規制することができる。
第１３図は、回転ベゼル１０１が上位停止点の状態を示す。第１４図は、第１３図に示すＢ−Ｂ’の方向から見た部分断面図を示す。回転ベゼル１０１の外周に、一定の間隔で歯車凹部１１７を設ける。歯車凹部１１７は、円周方向に対して中心に向かう面に回転規制壁１１８を有し、外周から内側に向かう斜面をも有している。回転ベゼル１０１の外側に回転クリックリング１０４を配置する。回転クリックリング１０４は、その外周から内側にへこんだクリック弾性体１４３を設ける。クリック弾性体１４３の内周側に、クリック弾性突起１１４を設ける。クリック弾性突起１１４に、回転規制壁１１８と干渉する回転止め壁１４５を設ける。また、クリック弾性体突起１１４は、内周から外周に向かう斜面を有する。回転クリックリング１０４の外側に、ケース胴１０２を配置する。
この状態で、回転ベゼル１０１をＡ方向に回転させようとした場合について説明する。回転ベゼル１０１の回転規制壁１１８が、回転クリックリング１０４に設けたクリック弾性突起１１４の回転止め壁１４５と干渉する。回転クリックリング１０４が固定されているため、回転ベゼル１０１は回転することができない。一方、回転ベゼル１０１をＡ方向と反対方向に回転させようとした場合について説明する。回転ベゼル１０１の歯車凹部１１７の斜面が、クリック弾性体突起１４４の斜面と接触する。このとき、クリック弾性体１４３が外側に変形し、クリック弾性体突起１４４が外側に移動することで、歯車凹部１１７の斜面がクリック弾性突起１１４を乗り越える。クリック感は、クリック弾性体１４３が変形することにより発生する。
第１５図は、回転クリックリング１０４の平面図を示す。回転クリックリング１０４は、リング状の回転ベゼル受面１４２と回転ベゼル受面１４２から紙面上方に延びる中空の筒状部とからなる。回転ベゼル受面１４２に、回転クリックリングを固定するための固定穴１４１を２ヶ所設ける。クリック弾性部１４３は、２つの固定穴１４１を結んだ線とほぼ直角となる位置に２ヶ所設ける。クリック弾性突起１４４が、クリック弾性部１４３の内側に設けてある。なお、固定穴１４１とクリック弾性部１４３は、２個に限らず何個あってもよい。また、固定穴１４１とクリック弾性部１４３との位置関係は、直角でなくてもよい。
この発明では、上述のように、回転ベゼル１０１を下位停止点に位置させた時は、歯車状凹凸部１１３が、回転規制ピン１０７の回転規制ピン１７１と係合して回転ベゼル１０１は回転できない。一方、回転ベゼル１０１を上位停止点に位置させた時は、歯車状凹凸部１１３と回転規制ピン１０７の回転規制ピン１７１との噛み合いが解除され、回転ベゼル１０１は回転できるという、停止部位によって回転ベゼル１０１の回転機能が異なる腕時計ケースの回転ベゼル構造を実現することができた。
この結果、回転ベゼルに回転ロック機構を設けることができ、従来の回転ベゼル構造で懸念されていた外力による回転ベゼルの誤操作を、確実に防止することのできる腕時計ケースの回転ベゼル構造が可能となった。
産業上の利用可能性
以上のように、本発明に係る回転ベゼル付き腕時計ケースは、回転ベゼルの停止状態での安定性を確保するとともに、ベゼル回転トルクを軽くすることができる腕時計のケースに用いるのが有益である。
【図面の簡単な説明】
第１図は、本発明の回転ベゼル下位停止点の主要構造部分断面図である。
第２図は、本発明の回転ベゼル上位停止点の主要構造部分断面図である。
第３図は、本発明の回転ベゼル下位停止点の主要構造部分断面図である。
第４図は、本発明の回転ベゼル下位停止点のＡ−Ａ’矢視方向部分断面図である。
第５図は、本発明の回転ベゼル上位停止点の主要構造部分断面図である。
第６図は、本発明の回転ベゼル上位停止点のＢ−Ｂ’矢視方向部分断面図である。
第７図は、本発明のリング弾性体部品の平面図である。
第８図は、本発明のリング弾性体部品のＣ−Ｃ’矢視方向側面図である。
第９図は、本発明の回転ベゼル下位停止点の主要構造部分断面図である。
第１０図は、本発明の回転ベゼル上位停止点の主要構造部分断面図である。
第１１図は、本発明の回転ベゼル下位停止点の主要構造部分断面図である。
第１２図は、本発明の回転ベゼル下位停止点のＡ−Ａ’矢視方向部分断面図である。
第１３図は、本発明の回転ベゼル上位停止点の主要構造部分断面図である。
第１４図は、本発明の回転ベゼル上位停止点のＢ−Ｂ’矢視方向部分断面図である。
第１５図は、本発明のリング弾性体部品の平面図である。
第１６図は、従来の回転ベゼルの主要構造部分断面図である。
第１７図は、従来の回転ベゼルの主要構造部分断面図である。
【図１】
0004723784.tif 000002
【図２】
0004723784.tif 000003
【図３】
0004723784.tif 000004
【図４】
0004723784.tif 000005
【図５】
0004723784.tif 000006
【図６】
0004723784.tif 000007
【図７】
0004723784.tif 000008
【図８】
0004723784.tif 000009
【図９】
0004723784.tif 000010
【図１０】
0004723784.tif 000011
【図１１】
0004723784.tif 000012
【図１２】
0004723784.tif 000013
【図１３】
0004723784.tif 000014
【図１４】
0004723784.tif 000015
【図１５】
0004723784.tif 000016
【図１６】
0004723784.tif 000017
【図１７】
0004723784.tif 000018